(57)【特許請求の範囲】
【請求項１】
インタフェイス素子をＯＮ動作させる払出信号を伝送する信号ラインと、払出モータを駆動する駆動電源を供給する給電ラインと、グランドラインとが、配線コネクタを経由して、上流側制御部に接続されている払出制御部を有し、
払出信号が有意レベルであると、給電ラインに流れる駆動電流に基づいて払出モータが回転するよう構成され、
上流側制御部には、ＯＮ状態の制御信号を受けてＯＮ動作して、有意レベルの払出信号を払出制御部に出力する第一スイッチ回路と、ＯＮ状態の制御信号を受けてＯＮ動作して、給電ラインを経由して駆動電源を払出制御部に出力する第二スイッチ回路とが設けられていることを特徴とする遊技機。
【請求項２】
第二スイッチ回路の出力側には、払出信号のレベル変化に遅れて、駆動電源の給電を制御する遅延部が設けられている請求項１に記載の遊技機。
【請求項３】
遅延部は、上流側制御部に配置される請求項２に記載の遊技機。
【請求項４】
遅延部は、払出制御部に配置される請求項２に記載の遊技機。
【請求項５】
払出モータは、直流モータで構成されている請求項１又は２に記載の遊技機。
【請求項６】
インタフェイス素子は、フォトカプラで構成されている請求項１〜３の何れかに記載の遊技機。
【請求項７】
払出モータを駆動する駆動電源を供給する給電ラインと、グランドラインとが、配線コネクタを経由して、上流側制御部に接続されている払出制御部を有し、
払出信号が有意レベルであると、給電ラインに流れる駆動電流に基づいて払出モータが回転するよう構成され、
上流側制御部には、ＯＮ状態の制御信号を受けてＯＮ動作する第一スイッチ回路と、第一スイッチ回路のＯＮ動作に対応してＯＮ動作して、給電ラインを経由して駆動電源を払出制御部に出力する第二スイッチ回路とが設けられていることを特徴とする遊技機。
【請求項８】
払出モータを駆動する駆動電源を供給する給電ラインと、グランドラインとが、配線コネクタを経由して、上流側制御部に接続されている払出制御部を有し、
払出信号が有意レベルであると、給電ラインに流れる駆動電流に基づいて払出モータが回転するよう構成され、
上流側制御部には、ＯＮ状態の制御信号を受けてＯＮ動作してグランドラインを通電させる通電スイッチ回路が設けられ、通電スイッチ回路のＯＮ動作に対応して払出モータが回転を開始するよう構成されていることを特徴とする遊技機。
【請求項９】
払出制御部には、払出モータの駆動電流を検知して過大な駆動電流を抑制する負帰還回路が配置されている請求項１〜８の何れかに記載の遊技機。
【請求項１０】
払出制御部には、払出モータの回転停止時にＯＮ動作する制動回路が配置されている請求項１〜９の何れかに記載の遊技機。
【発明の詳細な説明】
【技術分野】
【０００１】
本発明は、コンピュータ装置を内蔵する電子遊技機に関し、特に、遊技媒体としてメダル又は遊技球を用いる回胴遊技機や弾球遊技機に好適に適用される。
【背景技術】
【０００２】
スロットマシンなどの回胴遊技機では、遊技者がメダル投入口にメダルを投入してスタートレバーを操作すると、これに応じて、回転リールの回転が開始される。そして、遊技者がストップボタンを押して回転リールを停止させたとき、停止ライン上の図柄が揃うと、その図柄に応じた配当メダルが払い出されるようになっている。但し、各ゲームの当否状態は、実際には、機器内部の抽選処理によって各ゲームの開始時に予め決まっており、この抽選処理によって当選した図柄を、遊技者が停止ライン上に揃えることで配当メダルが払出される。
【０００３】
この配当メダルは、各スロットマシン内部に配置されたメダルホッパーに予め貯留されている。そして、払出モータＭＯが回転してメダルを払出し、払出検出センサが必要個数の払出枚数を確認すると払出動作が終了するようになっている。
【０００４】
払出モータＭＯは、例えば、ＤＣ２４Ｖの電圧で回転する直流モータで構成されている。そして、メダル払出信号ＰＡＹを受けるフォトカプラを設け、メダル払出信号ＰＡＹがＬレベルになると、フォトカプラの出力側のトランジスタがＯＮ動作して、直流モータの電流駆動回路が形成されるよう構成されている。
【先行技術文献】
【特許文献】
【０００５】
【特許文献１】特開２０１１−１４３０５８号公報
【特許文献２】特開２０１１−０９２７７４号公報
【特許文献３】特開２０１１−０３０６６２号公報
【特許文献４】特開２０１１−０３０６６１号公報
【発明の概要】
【発明が解決しようとする課題】
【０００６】
ところが、メダル払出信号ＰＡＹがＬレベルになると、払出モータが回転を始めるので、この関係を悪用する違法行為を排除する回路構成が望まれる。そこで本出願人も各種の対策を提案しているが（特許文献１〜４）、回路基板間の配線数が多いと、その分だけ製造時の負担が増加するだけでなく、何れかの配線を悪用した違法行為が懸念される。
【０００７】
本発明は、上記の問題点に鑑みてなされたものであって、回路基板間の配線数を極限的に減少させ、且つ、メダル払出信号ＰＡＹをグランドレベルに降下させる違法行為を確実に排除できる遊技機を提供することを目的とする。
【課題を解決するための手段】
【０００８】
上記の目的を達成するため、本発明は、インタフェイス素子をＯＮ動作させる払出信号を伝送する信号ラインと、払出モータを駆動する駆動電源を供給する給電ラインと、グランドラインとが、配線コネクタを経由して、上流側制御部に接続されている払出制御部を有し、払出信号が有意レベルであると、給電ラインに流れる駆動電流に基づいて払出モータが回転するよう構成され、上流側制御部には、ＯＮ状態の制御信号を受けてＯＮ動作して、有意レベルの払出信号を払出制御部に出力する第一スイッチ回路と、ＯＮ状態の制御信号を受けてＯＮ動作して、給電ラインを経由して駆動電源を払出制御部に出力する第二スイッチ回路とが設けられている。
【０００９】
本発明では、３本の信号線で払出モータが回転可能である簡易性の上に、第一と第二のスイッチ回路が連動するので事実上、違法行為が不可能となる。
【００１０】
第二スイッチ回路の出力側には、好ましくは、払出信号のレベル変化に遅れて、駆動電源の給電を制御する遅延部が設けられている。この遅延部は、上流側制御部か払出制御部に配置される。また、払出モータは、直流モータで構成されているのが好ましく、インタフェイス素子は、フォトカプラで構成されるのが効果的である。
【００１１】
また、本発明は、払出モータを駆動する駆動電源を供給する給電ラインと、グランドラインとが、配線コネクタを経由して、上流側制御部に接続されている払出制御部を有し、払出信号が有意レベルであると、給電ラインに流れる駆動電流に基づいて払出モータが回転するよう構成され、上流側制御部には、ＯＮ状態の制御信号を受けてＯＮ動作する第一スイッチ回路と、第一スイッチ回路のＯＮ動作に対応してＯＮ動作して、給電ラインを経由して駆動電源を払出制御部に出力する第二スイッチ回路とが設けられている。
【００１２】
更にまた、本発明は、払出モータを駆動する駆動電源を供給する給電ラインと、グランドラインとが、配線コネクタを経由して、上流側制御部に接続されている払出制御部を有し、払出信号が有意レベルであると、給電ラインに流れる駆動電流に基づいて払出モータが回転するよう構成され、上流側制御部には、ＯＮ状態の制御信号を受けてＯＮ動作してグランドラインを通電させる通電スイッチ回路が設けられ、通電スイッチ回路のＯＮ動作に対応して払出モータが回転を開始するよう構成されている。
【発明の効果】
【００１３】
上記した本発明によれば、配線数を最小限に制限して違法行為を確実に排除することができる。
【図面の簡単な説明】
【００１４】
【図１】実施例に係るスロットマシンの正面図である。
【図２】図１のスロットマシンの右側面図（ａ）と平面図（ｂ）である。
【図３】スロットマシンの前面パネルを背面から図示した図面である。
【図４】スロットマシンの本体ケースの内部正面図である。
【図５】図１のスロットマシンの回路構成を示すブロック図である。
【図６】主制御基板の要部と、主制御基板とメダル払出制御基板との接続関係を示すブロック図である。
【図７】メダル払出処理を説明するフローチャートである。
【図８】払出動作時におけるメダル払出制御基板の動作を説明する図面である。
【図９】払出禁止時におけるメダル払出制御基板の動作を説明する図面である。
【図１０】別の実施例を説明する図面である。
【図１１】配線ケーブルの本数を極限的に抑制した実施例を説明する図面である。
【図１２】配線ケーブルの本数を極限的に抑制した別の実施例を説明する図面である。
【発明を実施するための形態】
【００１５】
以下、実施例に基づいて本発明を更に詳細に説明する。図１〜図４は、実施例に係るスロットマシンＳＬを図示したものである。本スロットマシンＳＬは、矩形箱状の本体ケース１と、各種の遊技部材を装着した前面パネル２とが、ヒンジ３を介して連結され、前面パネル２が本体ケース１に対して開閉可能に構成されている（図２）。そして、図１は前面パネル２の正面図、図２はスロットマシンＳＬの右側面図（ａ）と平面図（ｂ）、図３は前面パネル２の背面図、図４は本体ケース１の内部正面図を示している。
【００１６】
図４に示す通り、本体ケース１の略中央には、３つの回転リール４ａ〜４ｃを備える図柄回転ユニット４が配置され、その下側に、メダル払出装置５が配置されている。各回転リール４ａ〜４ｃには、ＢＢ図柄、ＲＢ図柄、各種のフルーツ図柄、及びリプレイ図柄などが描かれている。メダル払出装置５には、メダルを貯留するメダルホッパー５ａと、払出モータＭＯと、メダル払出制御基板５５と、払出中継基板６３と、払出センサＳＥ（図５）などが設けられている。ここで、メダルは、払出モータＭＯの回転に基づいて、払出口５ｂから図面手前に向けて導出される。なお、限界量を越えて貯留されたメダルは、オーバーフロー部５ｃを通して、補助タンク６に落下するよう構成されている。
【００１７】
上記のメダル払出装置５に隣接して電源基板６２が配置され、また、図柄回転ユニット４の上部に主制御基板５０が配置され、主制御基板５０に隣接して回胴設定基板５４が配置されている。なお、図柄回転ユニット４の内部には、回胴ＬＥＤ中継基板５８と回胴中継基板５７とが設けられ、図柄回転ユニット４に隣接して外部集中端子板５６が配置されている。
【００１８】
図１に示すように、前面パネル２の上部には液晶表示ユニット７が配置され、その下部には、回転リール４ａ〜４ｃに対応する３つの表示窓８ａ〜８ｃが配置されている。表示窓８ａ〜８ｃを通して、各回転リール４ａ〜４ｃの回転方向に、各々３個程度の図柄が見えるようになっており、合計９個の図柄の水平方向の三本と、対角線方向の二本が仮想的な停止ラインとなる。このような表示窓８ａの左側には、遊技状態を示すＬＥＤ群９が設けられ、その下方には、遊技成果として払出されるメダル数を表示する払出表示部１０や、クレジット状態のメダル数を表示する貯留数表示部１１が設けられている。
【００１９】
前面パネル２の垂直方向中央には、メダルを投入するメダル投入口１２が設けられ、これに隣接して、メダル投入口１２に詰まったメダルを返却させるための返却ボタン１３が設けられている。また、クレジット状態のメダルを払出すクレジット精算ボタン１４と、メダル投入口１２へのメダル投入に代えてクレジット状態のメダルを擬似的に一枚投入する投入ボタン１５と、クレジット状態のメダルを擬似的に三枚投入するマックス投入ボタン１６とが設けられている。
【００２０】
これらの遊技部材の下方には、回転リール４ａ〜４ｃの回転を開始させるスタートレバー１７と、回転中の回転リール４ａ〜４ｃを停止させるためのストップボタン１８ａ〜１８ｃが設けられている。その他、前面パネル２の下方には、メダルを蓄える横長の受け皿１９と、払出装置５の払出口５ｂに連通するメダル導出口２０とが設けられている。なお、メダル導出口２０の左右にはスピーカＳＰが配置されている。
【００２１】
図３に示すように、前面パネル３の裏側には、メダル投入口１２に投入されたメダルの選別を行うメダル選別装置２１と、メダル選別装置２１により不適正と判別されたメダルをメダル導出口２０に案内する返却通路２２とが設けられている。また、前面パネル３の裏側上部には、演出制御基板５１、演出インタフェイス基板５２、及び液晶制御基板６１などを収容する基板ケース２３が配置されている。そして、メダル選別装置２１の上部には、図１に示す各種の遊技部材と主制御基板５０との間の信号を中継する遊技中継基板５３が設けられている。
【００２２】
図５は、実施例に係るスロットマシンＳＬの回路構成を示すブロック図である。図示の通り、このスロットマシンＳＬは、回転リール４ａ〜４ｃを含む各種の遊技部材の動作を制御する主制御基板５０と、主制御基板５０から受けた制御コマンドに基づいて演出動作を実現する演出制御基板５１と、交流電圧（２４Ｖ）を直流電圧（５Ｖ，１２Ｖ，２４Ｖ）に変換して装置各部に供給する電源基板６２とを中心に構成されている。
【００２３】
主制御基板５０は、演出制御基板５１に対して、スピーカＳＰによる音声演出、ＬＥＤランプや冷陰極線管放電管によるランプ演出、及び、液晶表示ユニット７による図柄演出を実現するための制御コマンドを出力している。そして、演出制御基板５１は、演出インタフェイス基板５２を通して、液晶制御基板６１に接続されており、液晶制御基板６１は、液晶表示（ＬＣＤ）ユニット７における図柄演出を実現している。
【００２４】
演出制御基板５１は、演出インタフェイス基板５２と共に、ＬＥＤ基板５９やインバータ基板６０や回胴ＬＥＤドライブ基板５８を経由して、各種のＬＥＤや冷陰極線管放電管におけるランプ演出を実現している。また、演出制御基板５１は、演出インタフェイス基板５２を通してスピーカＳＰを駆動して音声演出を実現している。
【００２５】
主制御基板５０は、遊技中継基板５３を通して、スロットマシンの各種遊技部材に接続されている。具体的には、スタートレバー１７の始動スイッチ、ストップボタン１８ａ〜１８ｃの停止スイッチ、投入ボタン１５，１６の投入スイッチ、清算ボタン１４の清算スイッチ、投入枚数判定部２１ｄを構成するフォトインタラプタＰＨ１，ＰＨ２、投入メダル返却部２１ｃを構成するブロッカーソレノイド３０、及び、各種ＬＥＤ素子９〜１１などに接続されている。
【００２６】
また、主制御基板５０は、回胴中継基板５７を経由して、回転リール４ａ〜４ｃを回転させる３つのステッピングモータ、及び、回転リール４ａ〜４ｃの基準位置を検出するためのインデックスセンサに接続されている。そして、ステッピングモータを駆動又は停止させることによって、回転リール４ａ〜４ｃの回転動作と、目的位置での停止動作を実現している。
【００２７】
主制御基板５０は、払出中継基板６３を通してメダル払出装置５にも接続されている。メダル払出装置５には、メダル払出制御基板５５と、メダル払出センサＳＥと、払出モータＭＯとが設けられており、メダル払出制御基板５５は、主制御基板５０からのメダル払出信号ＰＡＹに基づいて払出モータＭＯを回転させて、所定量のメダルを払出している。なお、払出モータＭＯは、ブラシモータなどのＤＣモータであり、ＤＣ２４Ｖを受けている限り回転を継続する。
【００２８】
その他、主制御基板５０は、外部集中端子板５６と、回胴設定基板５４にも接続されている。外部集中端子板５６は、例えばホールコンピュータＨＣに接続されており、主制御基板５０は、外部集中端子板５６を通して、メダルの投入枚数やメダルの払出枚数などを出力している。また、回胴設定基板５４は、係員が設定した確率的なメダル払出枚数のランク設定値を示す設定キー信号などを出力している。
【００２９】
図６（ａ）は、主制御基板５０と、払出中継基板６３と、メダル払出制御基板５５との接続関係を図示した概略図である。図示の通り、メダル払出制御基板５５は、払出中継基板６３を経由して、主制御基板５０から、メダル払出信号ＰＡＹと、ＤＣ２４Ｖ（モータ駆動電源）とを受けている。そして、各回路基板５０，６３，５５は、配線コネクタＣＮ１〜ＣＮ４を経由して隣接する回路基板と接続されている。
【００３０】
ここで、メダル払出制御基板５５と上流側の回路基板（５０，６３）との配線数はグランドラインを含めても３本であり、従来の回路構成に比べて、製造が容易であるだけでなく、違法行為の可能性を低減することができる。
【００３１】
そして、主制御基板５０は、メダル払出信号ＰＡＹを出力する信号出力部７０を有して構成されている（図６（ａ））。図示の通り、メダル払出信号ＰＡＹ、及びＤＣ２４Ｖは、グランド信号を含んだ他の信号と共に、配線コネクタＣＮ１から出力されている。また、図６（ｂ）に示す通り、メダルの払出動作時には、駆動パルスＳＧがＨレベルとなり、メダルの払出枚数に対応するパルス時間幅τの後にＬレベルに戻るよう構成されている。
【００３２】
図６（ｃ）に具体的に示す通り、信号出力部７０は、駆動パルスＳＧを受けてスイッチング動作をする出力トランジスタＱａと、出力トランジスタＱａに同期してスイッチング動作をする制御トランジスタＱｃと、制御トランジスタＱｃのＯＮ動作時にＤＣ２４Ｖの給電ラインを通電させる通電トランジスタＱｂと、を有して構成されている。各トランジスタＱａ〜Ｑｃは、何れもバイポーラ型トランジスタであり、通電トランジスタＱｂは、電流容量の大きいＰＮＰ型のパワートランジスタが選択されている。なお、トランジスタＱａ，ＱｂはＮＰＮ型のトランジスタである。
【００３３】
図示の通り、出力トランジスタＱａのベース端子は、ベース抵抗Ｒａを通して駆動パルスＳＧを受けており、コレクタ端子は、直流電源Ｖｃｃ５Ｖを受けている。また、出力トランジスタＱａのエミッタ端子は、メダル払出信号ＰＡＹの出力端子として、配線コネクタＣＮ１に接続されている。
【００３４】
制御トランジスタＱｃのベース端子は、ベース抵抗Ｒｃを通して駆動パルスＳＧを受けており、コレクタ端子は、負荷抵抗ＲＬとバイアス抵抗Ｒｂとを経由してＤＣ２４Ｖ（モータ駆動電源）を受けている。なお、制御トランジスタＱｃのエミッタ端子は、グランドに接続されている。
【００３５】
一方、通電トランジスタＱｂのエミッタ端子は、モータ駆動電源２４Ｖを受けており、エミッタ端子とベース端子との間には、バイアス抵抗Ｒｂが接続されている。そして、通電トランジスタＱｂのコレクタ端子は、コンデンサＣａを経由してグランドに接続されると共に、モータ駆動電源２４Ｖの出力端子として、配線コネクタＣＮ１に接続されている。
【００３６】
ここで、コンデンサＣａは、大容量のキャパシタンス素子が選択されており、駆動パルスＳＧがＨレベルとなってから適度に遅れてＤＣ２４Ｖの給電が開始され、駆動パルスＳＧがＬレベルになってから適度に遅れてＤＣ２４Ｖの給電が停止されるようになっている（遅延時間τ）。
【００３７】
図示の通り、メダル払出信号ＰＡＹは、メダル払出制御基板５５のフォトカプラＰＣ（発光ダイオードＤ）の電流流入端子に供給され、発光ダイオードＤの出力電流は、その電流流出端子及び配線コネクタＣＮ１を経由して、主制御部５０のグランドに帰還されるよう構成されている。したがって、出力トランジスタＱａがＯＮ動作すると、フォトカプラＰＣの発光ダイオードＤには、エミッタ抵抗ＲｅとフォトダイオードＤの電圧降下Ｖｆとで規定されるＯＮ電流＝（Ｖｃｃ−Ｖｆ）／Ｒｅが流れることなる。
【００３８】
信号出力部７０は、上記の通りに構成されているので、駆動パルスＳＧがＨレベルとなる払出動作時には、制御トランジスタＱｃがＯＮ動作して、ＤＣ２４Ｖ→バイアス抵抗Ｒｂ→負荷抵抗ＲＬ→トランジスタＱｃ→グランドの経路でコレクタ電流が流れる。本実施例の場合、このＯＮ動作時には、バイアス抵抗Ｒｂの両端電圧が１Ｖ程度となるよう設計されているので、制御トランジスタＱｃがＯＮ動作に対応して、通電トランジスタＱｂもＯＮ動作する。但し、通電トランジスタＱｂのコレクタ端子とグランド間には、大容量のコンデンサＣａが接続されているので、通電トランジスタＱｂのＯＮ動作から少し遅れて、配線コネクタＣＮ１にモータ駆動電源２４Ｖが出力される給電動作が開始される。
【００３９】
駆動パルスＳＧがＨレベルとなる払出動作時には、以上の動作と並行して、出力トランジスタＱａもＯＮ動作するので、フォトカプラＰＣのＯＮ動作に対応して、払出モータＭＯの駆動が開始される。
【００４０】
一方、駆動パルスＳＧがＬレベルとなる払出禁止時は上記と逆の動作が実行される。すなわち、出力トランジスタＱａやフォトカプラＰＣのＯＦＦ動作に遅れて、モータ駆動電源２４Ｖの給電が停止される。
【００４１】
図７は、上記した駆動パルスＳＧの制御を含んだ主制御部５０によるメダル払出動作を説明するフローチャートである。先ず、遊技者に払出すべきメダル払出枚数が０か否か判定され（ＳＴ１０）、メダル払出枚数≠０であれば、クレジット数が上限値（例えば５０枚）に達するまでは、クレジット数を増加させることで払出処理を実行する（ＳＴ１１〜ＳＴ１３）。
【００４２】
図７は、上記した駆動パルスＳＧの制御を含んだ主制御部５０によるメダル払出動作を説明するフローチャートである。先ず、遊技者に払出すべきメダル払出枚数が０か否か判定され（ＳＴ１０）、メダル払出枚数≠０であれば、クレジット数が上限値（例えば５０枚）に達するまでは、クレジット数を増加させることで払出処理を実行する（ＳＴ１１〜ＳＴ１３）。
【００４３】
一方、このようにしてクレジット数が上限値に達するか、或いは、もともと上限値に達している場合には、メダル払出信号ＰＡＹをＯＮレベル（アクティブレベル）にする（ＳＴ１５）。具体的には、主制御部５０の通電トランジスタＱｂと出力トランジスタＱａをＯＮ動作させて、メダル払出制御基板５５のフォトカプラＰＣをＯＮ動作させる。この結果、払出モータＭＯが回転を開始してメダルの払出が開始される。
【００４４】
そこで、次に、払出センサＳＥ（図５）がメダル払出を検出したか否か判定され（ＳＴ１６）、所定の待機時間、メダルの払出が検出されるのを待つ（ＳＴ１８）。そして、メダルの払出が検出されれば、払出枚数を減算し（ＳＴ１７）、残余払出枚数が０になるまで同じ動作を繰返す。一方、所定の待機時間を超えても、払出センサＳＥがメダルの払出を検出しない場合は、メダルホッパー５ａが空であると思われるので、その旨の異常報知処理を実行する（ＳＴ１９）。そして、ドアセンサの開閉が検出されたら、係員による補給処理が完了したと想定して、エラー報知処理を解除してステップＳＴ１５の処理に戻る。
【００４５】
このような処理を繰返していると、やがて、残余払出枚数が０になるので（ＳＴ１３）、メダル払出信号ＰＡＹをＯＦＦ状態にして処理を終える（ＳＴ１４）。具体的には、主制御部５０の通電トランジスタＱｂと出力トランジスタＱａをＯＦＦ動作させ、メダル払出制御基板５５のフォトカプラＰＣをＯＦＦ動作させる。この結果、払出モータＭＯの回転が停止される。
【００４６】
図８〜図９は、メダル払出動作を説明するための図面である。図８に示す通り、メダル払出制御基板５５には、フォトカプラＰＣによる信号伝送回路８１と、バイポーラトランジスタＱ３，Ｑ４による電流制限回路８２と、ＭＯＳトランジスタＱ５による駆動制御回路８３と、ＭＯＳトランジスタＱ６による制動回路８４と、が設けられている。
【００４７】
主制御基板５０から供給される駆動電圧ＤＣ２４Ｖは、ポリスイッチＲＴを経由して払出モータＭＯに伝送されており、主制御基板５０の通電トランジスタＱｂがＯＮ状態でない限り、払出モータＭＯが回転するよう構成されている。
【００４８】
ポリスイッチＲＴは、ポリマー系のＰＴＣ（Positive Temperature Coefficient）サーミスタであり、素子温度が所定値より上昇すると、正常状態では１Ω以下の抵抗値が、急激に増加して１０４Ω〜１０６Ω程度になる特性を有している。例えば、払出モータＭＯの配線の短絡などによって過大電流が流れる場合には、ポリスイッチＲＴの抵抗値によって、ＤＣ２４Ｖの電源ラインが開放状態となる。
【００４９】
フォトカプラＰＣの発光ダイオードＤは、出力トランジスタＱａがＯＮ動作することを条件に、順方向電流が流れて発光するよう構成されている。そして、発光ダイオードＤが発光すると、フォトカプラＰＣのフォトトランジスタＴｒがＯＮ動作する。図示の通り、フォトトランジスタＴｒのコレクタ端子には、駆動電圧ＤＣ２４Ｖが供給され、エミッタ端子は、電流制限回路８２に接続されている。
【００５０】
電流制限回路８２は、ＰＮＰ型トランジスタＱ３と、コレクタ抵抗Ｒ４、バイアス抵抗Ｒ１０と、払出モータＭＯの電流検出抵抗Ｒ１３と、バイアス抵抗Ｒ５と、コンデンサＣ１と、ＮＰＮ型トランジスタＱ４と、電流制限抵抗Ｒ８と、逆方向電流阻止用のダイオードＤ２とで構成されている。
【００５１】
トランジスタＱ３のエミッタ端子は、フォトカプラＰＣのトランジスタＴｒのエミッタ端子と、電流制限抵抗Ｒ８とに接続されている。そして、トランジスタＱ３のエミッタ端子とベース端子の間には、電流制限抵抗Ｒ８とダイオードＤ２とが直列接続され、ダイオードＤ２のカソード端子が、トランジスタＱ３のベース端子に接続されている。また、ダイオードＤ２のカソード端子は、トランジスタＱ４のコレクタ端子に接続され、そのエミッタ端子はグランドに接続されている。トランジスタＱ４のベース端子は、並列接続されたコンデンサＣ１及び抵抗Ｒ５を通して、グランドに接続されている。
【００５２】
また、トランジスタＱ４のベース端子は、抵抗Ｒ１０を通して、ＮチャンネルＭＯＳトランジスタＱ５のソース端子に接続されている。ＮチャンネルＭＯＳトランジスタＱ５のソース端子とグランドとの間に、抵抗Ｒ１３が接続されて、払出モータＭＯの駆動電流を監視している。なお、電流検出抵抗Ｒ１３は、０．５１Ω程度である。
【００５３】
駆動制御回路８３は、ＮチャンネルＭＯＳトランジスタＱ５と、バイアス抵抗Ｒ９と、コンデンサＣ３とで構成されている。ここで、ＭＯＳトランジスタＱ５のドレイン端子は、払出モータＭＯの（−）端子に接続されている。そして、ベース端子とソース端子との間には、並列接続された抵抗Ｒ９及びコンデンサＣ３が接続されている。
【００５４】
制動回路８４は、ＰチャンネルＭＯＳトランジスタＱ６と、分圧用のバイアス抵抗Ｒ１１，Ｒ１２，Ｒ６，Ｒ７と、コンデンサＣ２と、逆方向電流阻止用のダイオードＤ１とで構成されている。ＰチャンネルＭＯＳトランジスタＱ６のソース端子とドレイン端子は、各々、払出モータＭＯの（＋）端子と（−）端子に接続されている。したがって、ＰチャンネルＭＯＳトランジスタＱ６がＯＮ動作すると払出モータＭＯの駆動が禁止されることになる。
【００５５】
一方、ＭＯＳトランジスタＱ６のソース端子とゲート端子間には抵抗Ｒ１１が接続され、ゲート端子とグラントとの間には、バイアス抵抗Ｒ１２，Ｒ６，Ｒ７が直列接続されている。そして、抵抗Ｒ１２と抵抗Ｒ６の接続点には、ダイオードＤ１のカソード端子が接続されている。一方、ダイオードＤ１のアノード端子は、フォトカプラＰＣのトランジスタＴｒのエミッタ端子と、抵抗Ｒ８とに接続されている。
【００５６】
以上を踏まえて、メダル払出動作を説明する。先ず、主制御部５０の通電トランジスタＱｂと出力トランジスタＱａがＯＮ状態となった場合（ＳＴ１５）について、図８に基づいて説明する。この場合には、出力トランジスタＱａとフォトカプラＰＣがＯＮ動作した後、適宜な遅延時間の後、モータ駆動電源２４Ｖの給電動作が開始される。
【００５７】
すると、ＤＣ５Ｖ→トランジスタＱａ→エミッタ抵抗Ｒｅ→フォトカプラの発光ダイオードＤ→グランドラインの経路で、ＯＮ電流Ｉｏｎが流れる。そのため、フォトカプラのフォトトランジスタＴｒもＯＮ状態となり、トランジスタＴｒを通過する直流電流は、モータ駆動電源２４Ｖ→ダイオードＤ１→抵抗Ｒ６→Ｒ７の経路に流れる。
【００５８】
また、トランジスタＴｒを通過する直流電流は、抵抗Ｒ８→抵抗Ｒ９→抵抗Ｒ１３の経路と、抵抗Ｒ８→抵抗Ｒ９→抵抗Ｒ１０→Ｒ５の経路にも流れる。その結果、トランジスタＱ５はＯＮ状態となり、ポリスイッチＲＴ→払出モータＭＯ→トランジスタＱ５の経路でモータ駆動電流が流れ、払出モータＭＯが回転する。
【００５９】
この時、電流制限回路８２は、過大なモータ駆動電流が流れることを防止する負帰還回路として機能する。すなわち、モータ駆動電流は、電流検出抵抗Ｒ１３に流れるので、仮に、モータ駆動電流が大きく増加すると、トランジスタＱ４のベース電位が増加して、抵抗Ｒ８→ダイオードＤ２経路でコレクタ電流が流れる。
【００６０】
すると、トランジスタＱ４とトランジスタＱ３とは、サイリスタ構造を有して接続されているので、トランジスタＱ４のコレクタ電流の増加が、トランジスタＱ３のコレクタ電流の増加をもたらし、抵抗Ｒ５を経由してトランジスタＱ４のコレクタ電流を益々増加させることで、２つのトランジスタＱ３，Ｑ４は、ＯＮ動作に向けた正帰還ループを形成する。
【００６１】
一方、トランジスタＱ４のコレクタ電流が飽和電流に向けて増加すると、ダイオードＤ２のアノード端子の電位が降下するので、トランジスタＱ５をＯＦＦ動作させる向きの負帰還ループが形成される。したがって、トランジスタＱ５の動作に基づいて、過大なモータ駆動電流が流れることが防止され、モータ駆動電流が所定範囲に維持される。
【００６２】
ところで、払出モータＭＯが駆動されているタイミングでは、トランジスタＱ６は、ＯＦＦ状態である。それは、抵抗Ｒ１１→抵抗Ｒ１２→抵抗Ｒ６→抵抗Ｒ７の経路で電流が流れると共に、ダイオードＤ１→抵抗Ｒ６→抵抗Ｒ７の経路でも電流が流れるので、抵抗Ｒ１１と抵抗Ｒ１２の両端電圧が、トランジスタＴｒの飽和電圧ＶＣＥとダイオードの順方向電圧降下ＶＦからＶＣＥ＋ＶＦ≒１Ｖに抑制されるからである。
【００６３】
次に、図９に基づいて、主制御部５０の通電トランジスタＱｂと出力トランジスタＱａがＯＦＦ状態となった場合（ＳＴ１３）の動作を説明する（払出停止状態）。
【００６４】
この場合には、出力トランジスタＱａがＯＦＦ状態であるのでフォトカプラＰＣに電流が流れず、トランジスタＱ３，Ｑ４，Ｑ５はＯＮ状態とならない。但し、コンデンサＣａのため、しばらくは、モータ駆動電源２４Ｖの給電動作が維持される。そのため、抵抗Ｒ１１→抵抗Ｒ１２→抵抗Ｒ６→抵抗Ｒ７→グランドの経路では電流が流れる。ここで、抵抗Ｒ１１の両端電圧は、２４＊Ｒ１１／（Ｒ１１＋Ｒ１２＋Ｒ６＋Ｒ７）≒３Ｖとなるよう設定されているので、このソース端子とゲート端子間の電圧によってトランジスタＱ６はＯＮ状態となる。
【００６５】
このトランジスタＱ６のＯＮ動作は、フォトカプラＰＣのＯＮからＯＦＦへの遷移時に実行されるので、誘導性を有する払出モータＭＯの駆動電流は、瞬間的にトランジスタＱ６のコレクタ電流として吸収され、払出モータＭＯの回転にブレーキがかかる。そのため、本実施例の構成によれば、慣性力によってメダルが過払いされることがない。
【００６６】
以上の通り、本実施例によれば、メダル払出制御基板５５は、違法行為の可能性を低減している。すなわち、払出停止状態において、仮に、メダル払出ラインＰＡＹ（出力トランジスタＱａのエミッタ端子）をグランドに短絡させても、トランジスタＱａがＯＦＦ状態を維持しているので、払出モータＭＯを回転させることはできない。
【００６７】
また、ＤＣ２４Ｖを悪用して、フォトカプラＰＣをＯＮ動作させようとしても、駆動パルスＳＧがＬレベルとなると、適宜な遅延時間（τ）後にモータ駆動電源２４Ｖの給電動作が停止されるので、違法にメダルを払出すことができない。
【００６８】
以上、本発明の実施例について具体的に説明したが、具体的な記載内容は特に本発明を限定する趣旨ではなく、適宜に変更可能である。例えば、先の実施例ではスロットマシンについて説明したが、遊技球の払出処理をＤＣモータで実現する弾球遊技機においては、本発明が好適に適用される。
【００６９】
また、実施例では、バイポーラ型トランジスタを使用したが、特に限定されず、ＦＥＴ型のトランジスタを使用しても良い。また、通電トランジスタＱｂについては、絶縁ゲートバイポーラトランジスタＩＧＢＴ（Insulated Gate Bipolar Transistor）を使用するのも好適である。また、個別の素子を使用する必要はなく、例えば、図１０に示すように、アナログスイッチＡ−ＳＷを使用しても良いのは勿論である。
【００７０】
更にまた、図１１に示すように、主制御基板５０と、メダル払出制御基板５５とを二本の配線で接続するのも好適である。この場合には、ＤＣ２４Ｖのモータ駆動電源が、メダル払出信号ＰＡＹを兼用しており、通電トランジスタＱｂと、制御トランジスタＱｃとがＯＮ動作することを条件に、払出モータＭＯの回転が開始される。なお、コンデンサＣａは、大容量のキャパシタンス素子であり、その機能は、図８の実施例の場合と同様である。また、電流制限回路８２、駆動制御回路８３、及び制動回路８４の機能も図８の実施例の場合と同様である。
【００７１】
また、主制御基板５０と、メダル払出制御基板５５とを二本の配線で接続する場合、ＤＣ２４Ｖを通電制御する通電トランジスタＱｂと制御トランジスタＱｃとを設けることは、必ずしも必須ではなく、図１２に示すように、グランドラインを通電制御する通電トランジスタＱｂだけで払出モータＭＯを回転制御するのも好適である。
【符号の説明】
【００７２】
ＭＯ        払出モータ
５０        上流側制御部
５５        払出制御部
ＰＣ        インタフェイス素子
ＰＡＹ      払出信号
ＣＮ４      配線コネクタ
ＳＬ        遊技機（スロットマシン）
Ｑａ        第一スイッチ回路
Ｑｂ        第二スイッチ回路
【図１】
0005576347.tif 000002
【図２】
0005576347.tif 000003
【図３】
0005576347.tif 000004
【図４】
0005576347.tif 000005
【図５】
0005576347.tif 000006
【図６】
0005576347.tif 000007
【図７】
0005576347.tif 000008
【図８】
0005576347.tif 000009
【図９】
0005576347.tif 000010
【図１０】
0005576347.tif 000011
【図１１】
0005576347.tif 000012
【図１２】
0005576347.tif 000013